(57)【要約】【課題】自動販売機を展示部の照明手段により目立つように電飾して、集客性を高め、商品の販売を促進できるようにする。【解決手段】本体１前面の外扉２に商品見本４７等を展示する自動販売機であって、外扉２の前面に複数の区画された展示窓６、７、１０を設け、そのそれぞれに対応してその内側に商品見本４７や広告パネル４３等を展示する展示室３１、３２、３３を配置し、展示室３１、３２、３３内をそれぞれ照明する発光ダイオードから成る照明手段４０ａ〜４０ｅを展示窓６、７、１０に対向して配設し、さらに外２扉の前面に展示窓６、７、１０に沿ってイルミネーションランプ２０を配設し、照明手段４０ａ〜４０ｅとイルミネーションランプ２０を調光、制御する調光制御手段５１を有し、調光制御手段５１は照明手段４０ａ〜４０ｅとイルミネーションランプ２０を多様に調光して外扉２を電飾する。【選択図】図１
2008097235.tif 000002
【特許請求の範囲】
【請求項１】
本体前面を覆う外扉に商品見本等を展示する自動販売機であって、前記外扉の前面に複数の区画された展示窓を設け、前記展示窓のそれぞれに対応してその内側に商品見本や広告パネル等を展示する展示室を配置し、前記展示室内をそれぞれ照明する発光ダイオードから成る照明手段を前記展示窓に対向して配設し、さらに前記外扉の前面に前記展示窓に沿ってイルミネーションランプを配設し、前記照明手段と前記イルミネーションランプを調光、制御する調光制御手段を有し、前記調光制御手段は前記照明手段と前記イルミネーションランプを多様に調光して前記外扉を電飾することを特徴とする自動販売機。
【請求項２】
前記展示窓は透明板により覆われ、前記透明板に添設されて前記展示窓を覆うマジックミラーフィルムを着脱自在に備えたことを特徴とする請求項１に記載の自動販売機。
【発明の詳細な説明】
【技術分野】
【０００１】
本発明は、自動販売機の本体前面を覆う外扉を、その商品展示室等の照明を活用して多様に電飾し、その存在が人目を引くようにアピールすることにより収納された商品の販売を促進することを目的とする自動販売機に関する。
【背景技術】
【０００２】
従来のこの種の自動販売機の商品搬出装置としては、先に出願公開された特開２００２−１５０３８５号公報（特許文献１）に記載されるようなものが知られている。この自動販売機は、前扉（外扉）に設けられた商品展示部を上下に区画して商品見本を展示する複数段の見本展示棚と、これらの各見本展示棚の上方にそれぞれ設けられて各見本展示棚に展示された商品見本を照明する複数の照明光源とを具備し、この照明光源を調光ユニットによって点灯駆動するようにしたものであって、自動販売機の販売動作時には前記各照明光源をそれぞれ一定の照明強度で点灯させ、また販売待機時には各照明光源の照明強度を時間的に変化させる照明制御部を設けたものである。
【０００３】
この構成によれば、前扉の商品展示部全体の照明パターンをその照明制御部により変化させることができるから、商品展示部自体に電飾的なアピール機能を持たせることができる。すなわち、自動販売機が有する機能を有効に活用して、その存在を周囲にアピールすることができ、それにより集客性を高めることができる。
【特許文献１】特開２００２−１５０３８５号公報
【発明の開示】
【発明が解決しようとする課題】
【０００４】
ところで、このような自動販売機において、商品展示部は、複数段の見本展示棚により上下に区画されて、そのそれぞれの見本展示棚に展示された商品見本を照明する照明光源をそれぞれ備えるが、商品展示部の前面は、その全部が一体的にアクリル樹脂等からなる透明カバー体により覆われるので、見本展示棚別に特に区分けされてはいない。そうすると、それぞれの見本展示棚に展示された商品見本を、その照明光源により照明する場合に、商品展示部の前面において、その照明光がその見本展示棚により区画される領域の周囲に拡散して、その照明領域のコントラストが曖昧になり美観の創出が不十分となる。
【０００５】
本発明は、このような問題に対応するため、照明光源により照明される商品展示部の領域を明確に区分し、その照明領域と周囲とのコントラストを際立たせて美観を創出し、さらに商品展示部の側方にイルミネーションランプを併設して、これにより商品展示部がさらに目立つように前扉を効果的に電飾することによって、その自動販売機の集客性を高め、収納商品の販売を促進することができる自動販売機を提供することを目的とするものである。
【課題を解決するための手段】
【０００６】
上記課題を解決するため、請求項１に係る発明は、本体前面を覆う外扉に商品見本等を展示する自動販売機であって、前記外扉の前面に複数の区画された展示窓を設け、前記展示窓のそれぞれに対応してその内側に商品見本や広告パネル等を展示する展示室を配置し、前記展示室内をそれぞれ照明する発光ダイオードから成る照明手段を前記展示窓に対向して配設し、さらに前記外扉の前面に前記展示窓に沿ってイルミネーションランプを配設し、前記照明手段と前記イルミネーションランプを調光、制御する調光制御手段を有し、前記調光制御手段は前記照明手段と前記イルミネーションランプを多様に調光して前記外扉を電飾するものである。
【０００７】
これによれば、前記照明手段によって照明される前記展示室の展示窓が、前記外扉の前面に区画して形成されるから、前記照明手段による照明領域とその周囲を明確に区分けして、そのコントラストを際立たせることができる。また、前記イルミネーションランプを前記展示窓に沿って配置することにより、前記展示窓がさらに目立つように前記外扉を電飾することができる。
【０００８】
請求項２に係る発明は、請求項１に記載の発明において、前記展示窓は透明板により覆われ、前記透明板に添設されて前記展示窓を覆うマジックミラーフィルムを着脱自在に備えたものである。
これによれば、前記照明手段が点灯する場合に前記展示室内の展示物を視認可能に展示し、前記照明手段が消灯する場合に前記展示物を視認不可とすることができる。
【発明の効果】
【０００９】
以上説明したように請求項１に係る発明によれば、照明手段によって照明される展示室の展示窓が外扉の前面に区画して形成され、照明手段による照明領域とその周囲を明確に区分けしてそのコントラストを際立たせることができるから、その電飾状態において美観を創出し、集客力を高めて商品の販売を促進することができる。また、イルミネーションランプを展示窓に沿って配置することにより、展示窓がさらに目立つように前扉を効果的に電飾することができるから、その展示室内に展示される商品見本を目立たせて、その商品の販売を促進することができる。
【００１０】
また、請求項２に係る発明によれば、照明手段が点灯する場合に展示室内の展示物を視認可能に展示し、照明手段が消灯する場合に前記展示物を視認不可とすることにより、その展示状態に劇的変化を生じさせて、全体的に前扉の電飾効果をさらに向上させ、集客力を高めて商品の販売を促進することができる。
【発明を実施するための最良の形態】
【００１１】
本発明の実施の形態について図を参照して説明する。図１は本発明の実施形態の自動販売機を示す正面図、図２は本発明の実施形態の自動販売機において前扉およびその背面の中扉を開いた状態を示す内部構造斜視図である。
図１、図２に示すように、この自動販売機は、販売商品を収納する商品コラム５を内部に備えて前面を開口した本体１と、本体１の前面開口を開閉自在に閉塞する前扉（外扉）２とを備えている。また、前扉２の背面側には、その背面を覆うとともにその背面側を開放可能な中扉３が配設されている。
【００１２】
前扉２の前面には、３段に区画されて配置され、その内部に商品見本を展示する商品展示窓部（展示窓）７と、各商品展示窓部７内の商品見本と対応してその下方に配設された商品選択ボタン８と、最上段の商品展示窓部７の上方に設けられ販売促進用の商品や広告等を表示する商品情報表示部（展示窓）６と、その下方に配置された商品選択予備ボタン９と、商品情報表示部６の上方にそれと区別して設けられ商品のロゴマーク等を表示する広告板部（展示窓）１０等が設けられている。そして、これらは前扉２の前面左側に寄せて配置され、表示部４が形成されている。また、この表示部４の下方には、商品コラム５から搬出される販売商品を取り出すための取出口扉１８が設けられている。さらに、前扉２の前面右側には、商品を購入するための金銭を投入する硬貨投入口１１および紙幣挿入口１２と、釣銭等を返却する返却レバー１３と、釣銭硬貨等を返却する硬貨返却口１４と、前面扉を本体１に施錠するための鍵部１５と、投入金額や販売情報を表示するための表示器１６等からなる操作部１７が設けられている。ここで、前扉２の表示部４と操作部１７の境界に商品展示窓部７の側方に沿うように上下方向に延設されたイルミネーションランプ２０が設けられている。
【００１３】
また、前扉２の裏側には、投入された金銭を識別する硬貨識別装置（コインメカニズム）２１および紙幣識別装置（ビルバリデータ）２２と、投入された硬貨を貯留する硬貨金庫２３と、商品コラム５から払い出された商品が搬出される商品取出口２６が設けられている。また、表示部４の背面側には、各商品展示窓部7と、商品情報表示部６と、広告板部１０とにそれぞれ対応してその背面側に区画された展示室３１、３２、３３と、これらを区画形成するための仕切部材３５ａ、３５ｂ、３５ｃ、３５ｄ、３５ｅが設けられている。
【００１４】
前扉２の背面側に設けられた中扉３の前面には、前扉２に設けられた各商品展示窓部７と、商品情報表示部６と、広告板部１０とにそれぞれ対応して形成される展示室３１、３２、３３の背面を覆うようにディスプレイパネル３７が設けられ、そのディスプレイパネル３７には、それらの商品展示窓部７、商品情報表示部６、広告板部を背面側から照明するようにそれらと対向して横長のＬＥＤ（発光ダイオード）ランプユニット（照明手段）４０ａ、４０ｂ、４０ｃ、４０ｄ、４０ｅが上下方向に複数段に並んで設けられている。また、中扉３の側面側には商品の販売価格設定等の各種設定を入力するための入力キーボード２４が備えられ、その背面側には、本体１内に備えたものと同様の商品コラム５が設けられている。なお、商品コラム５は、たばこ等の箱型の商品を上下方向に積み重ねて収納するもので、その下部に最下位の商品を搬出する商品搬出装置２８が備えられている。そして、これらの商品コラム５から搬出される商品は、本体の下部に設けられた搬出シュート２７を介して、前扉２に設けられる商品取出口２６に送出される。
【００１５】
図３は、前扉に設けられた表示部４の構造を示す側断面図、図４は商品情報表示部６を前扉２の背面側から見た斜視図である。図に示すように、商品情報表示部６は、アクリル樹脂等からなり前面の窓部を覆う透明板６ａを備えている。そして、透明板６ａの背面側に着脱自在に設けられたポスター保持板４１が設けられている。さらには、このポスター保持板４１の前面に販売商品の見本や広告等の絵柄が記載されたフィルム状の商品情報ポスター（広告パネル）４３を重ねて差し入れ、それを商品情報表示部６の透明板６ａの背面側に装着することにより、前扉２の前面からその透明板６ａを介して商品情報ポスター４３の絵柄等が目視可能に構成されている。なお、商品情報ポスター４３を使用せずに、ポスター保持板４１の表面に販売商品の見本や広告等の絵柄を直接に表示し、これを展示することも可能である。なお、商品情報ポスター４３とポスター保持板４１は光透過性部材からなり、商品情報表示部６と対向してディスプレイパネル３７に設けられたＬＥＤランプユニット４０ｄにより背面側から照明されるとき、商品情報ポスター４３が明るく表示される。
【００１６】
また、図５は上下方向３段に構成される商品展示窓部７のうち上段または中段に位置する商品展示窓部７を前扉２の背面側から見た斜視図である。図に示すように、この商品展示窓部７は、商品情報表示部６と同様に前面の窓部を覆う透明板７ａを備えている。そして、この透明板７ａの背面側に着脱自在に商品見本保持具４５が設けられている。そして、この商品見本保持具４５の裏面に販売商品の見本等が記載された商品ラベル（商品見本）４７を装着し、それを商品展示窓部７の透明板７ａの背面側に装着することにより、前扉２の前面からその透明板７ａを介して商品ラベル４７に記載された販売商品の見本が目視可能に構成されている。なお、最下段に位置する商品展示窓部７には、商品ラベル４７を装着する商品見本保持具４５に代えて、立体形状の商品見本４６を展示可能とするサンプルホルダー３９が、中扉２のディスプレイパネル３７側に設けられている。なお、商品ラベル４７、商品見本保持具４５、立体形状の商品見本４６、サンプルホルダー３９等は光透過性部材からなり、商品展示窓部７に対向して設けられたＬＥＤランプユニット４０ａ、４０ｂ、４０ｃにより背面側から照明されるとき、各商品展示窓部７の展示室３１内において、商品ラベル４７に記載された販売商品の見本や、サンプルホルダー３９に保持された立体商品見本４６が明るく表示される。
【００１７】
また、図６に示すように各商品展示窓部７の透明板７ａの背面には、着脱自在にマジックミラーフィルム４８が装着されている。
図７は、前扉２の表示部４を構成する各商品展示窓部７、商品情報表示部６、広告板部１０を照明するＬＥＤランプユニット４０ａ、４０ｂ、４０ｃ、４０ｄ、４０ｅや、前扉２の表示部４と操作部１７の境界に設けられたイルミネーションランプ２０等の照明装置の制御構成を示す制御ブロック図である。ここで、主制御部（調光制御手段）５１は、本発明の自動販売機の全体を制御するもので、各種データやプログラムを記憶する記憶部と、それらを演算処理する演算部等を備えるものである。照明用制御部５２は、主制御部５１に記憶されるデータやプログラムにより、ＬＥＤランプユニット４０ａ、４０ｂ、４０ｃ、４０ｄ、４０ｅやイルミネーションランプ２０の照明状態を多様に制御するものである。
【００１８】
このような制御構成においては、例えば照明を強調したい商品ラベル４７、立体商品見本４６、商品情報ポスター４３等に対応するＬＥＤランプユニットの光量や発行タイミング（点灯、半点灯、点滅等）等をあらかじめ設定されたプログラムに基づいて制御することができるから、種々の照度、発光タイミングにて前扉２の表示部４を構成する各商品展示窓部７、商品情報表示部６、広告板部１０等の照明を目立つように効果的に演出し、売れ筋商品や新発売商品等を強調して購買意欲をそそる展示効果を演出することができる。
【００１９】
また、前扉２の表示部４を構成する各商品展示窓部７、商品情報表示部６、広告板部１０、およびイルミネーションランプ２０の照明状態を所定の照明パターンによりそれぞれ時間的に順次変化させ、区画された領域毎に明るさが変化するようにして、前扉の全面に電飾的なアピール機能をもたせることが可能となり、その存在を周囲に効果的にアピールして集客性を高めることが可能になる。
【００２０】
以上のように、本発明の実施形態の自動販売機においては、前扉２の前面に複数の商品展示窓部７と、商品情報表示部６と、広告板部１０とを区画して設け、そのそれぞれに対応してその内側に、商品ラベル４７、商品情報ポスター４３等を展示する展示室３１、３２、３３を配置し、その展示室３１、３２、３３内を照明するＬＥＤランプユニット４０ａ、４０ｂ、４０ｃ、４０ｄ、４０ｅを各商品展示窓部７、商品情報表示部６、広告板部１０に対向して配置し、さらに前扉２にこれらの商品展示窓部７、商品情報表示部６、広告板部１０に沿ってイルミネーションランプ２０を配設し、これらのＬＥＤランプユニット４０ａ、４０ｂ、４０ｃ、４０ｄ、４０ｅとイルミネーションランプ２０を調光、制御する照明用制御部５２を有し、この照明用制御部５２はＬＥＤランプユニット４０ａ、４０ｂ、４０ｃ、４０ｄ、４０ｅとイルミネーションランプ２０を多様に調光して前扉２を電飾するものである。
【００２１】
これによれば、各ＬＥＤランプユニット４０ａ、４０ｂ、４０ｃ、４０ｄ、４０ｅによって照明される各商品展示窓部７、商品情報表示部６、広告板部１０が、前扉２の前面に区画して形成されるから、照明手段による照明領域とその周囲を明確に区分けして、そのコントラストを際立たせることができる。したがって、その電飾状態において美観を創出し、集客力を高めて商品の販売を促進することができる。なお、各ＬＥＤランプユニット４０ａ、４０ｂ、４０ｃ、４０ｄ、４０ｅは、各商品展示窓部７、商品情報表示部６、広告板部１０と対向してその内方に設けられるので、これらを効率的に照明することができ、そのコントラストを効果的に際立たせている。また、イルミネーションランプ２０を商品展示窓部７、商品情報表示部６、広告板部１０に沿って配置することにより、これらがさらに目立つように前扉２を効果的に電飾することができるから、それらに展示される商品見本を目立たせて、その商品の販売を促進することができる。
【００２２】
また、各商品展示窓部７は透明板７ａにより覆われ、その透明板７ａに着脱自在に添設されてこれを覆うマジックミラーフィルム４８を備えるから、各ＬＥＤランプユニット４０ａ、４０ｂ、４０ｃが点灯する場合に、各商品展示窓部７内の商品ラベル４７や商品見本４６を視認可能に展示し、各ＬＥＤランプユニット４０ａ、４０ｂ、４０ｃが消灯する場合に、それらの展示物を視認不可とすることができる。したがって、その展示状態に劇的変化を生じさせて、全体的に前扉２の電飾効果をさらに向上させ、集客力を高めて商品の販売を促進することができる。なお、本発明の自動自動販売機を周囲の薄暗い場所等に設置する場合は、マジックミラーフィルムを取り外しても、同様の効果を得ることができる。すなわち、マジックミラーフィルムは、その作用、効果を考慮して設置環境等に応じて適宜に着脱すればよい。
【００２３】
なお、本発明は、言うまでもなく本実施の形態に示す装置にのみ限定されず、その趣旨の包含する範囲で応用変更が可能である。
【図面の簡単な説明】
【００２４】
【図１】本発明の実施形態の自動販売機を示す正面図である。
【図２】本発明の実施形態の自動販売機において前扉およびその背面の中扉を開いた状態を示す内部構造斜視図である。
【図３】本発明の実施形態の自動販売機において前扉に設けられた表示部の構造を示す側断面図である。
【図４】本発明の実施形態の自動販売機において、商品情報表示部を前扉の背面側から見た斜視図である。
【図５】本発明の実施形態の自動販売機において、上下方向３段に構成される商品展示窓部のうち上段または中段に位置する商品展示窓部を前扉の背面側から見た斜視図ある。
【図６】本発明の実施形態の自動販売機において、商品展示部の透明板の背面に添設されるマジックミラーフィルムの着脱状態を示す図である。
【図７】本発明の実施形態の自動販売機におけるの照明装置の制御構成を示す制御ブロック図である。
【符号の説明】
【００２５】
１  本体  
２  前扉（外扉）
６  商品情報表示部（展示窓）
７  商品展示窓部（展示窓）
１０  広告板部（展示窓）
２０  イルミネーションランプ（商品棚）  
３１  展示室
３２  展示室
３３  展示室
４０ａ  ＬＥＤランプユニット（照明手段）
４０ｂ  ＬＥＤランプユニット（照明手段）
４０ｃ  ＬＥＤランプユニット（照明手段）  
４０ｄ  ＬＥＤランプユニット（照明手段）
４０ｅ  ＬＥＤランプユニット（照明手段）
４３  商品情報ポスター（広告パネル）
４６  （立体）商品見本
４７  商品ラベル（商品見本）
４８  マジックミラーフィルム
５１  主制御部（調光制御手段）
５２  照明用制御部
【図１】
2008097235.tif 000003
【図２】
2008097235.tif 000004
【図３】
2008097235.tif 000005
【図４】
2008097235.tif 000006
【図５】
2008097235.tif 000007
【図６】
2008097235.tif 000008
【図７】
2008097235.tif 000009